(57)【要約】【課題】  結束器で結束する被結束物の断面強度が低い場合でも、結束物を上方に段積みすることが可能な段積み型結束器を提供する。【解決手段】  本発明の段積み型結束器１は、被結束物を下方から支える基材１１と、その基材１１の両端から直立し被結束物を側方から押える二本の側辺材１２，１３と、その側辺材１２，１３のそれぞれの先端部の間を架設し被結束物を上方から押圧する蓋材１４と、を有するフレーム１０と、複数台のフレーム１０を使って被結束物を結束するとき、フレーム同士を繋ぐフレーム連結材１５と、フレーム１０の地面側に設けられ地面側が大きく開口している略四角錐台形状のキャップ１７と、キャップ１７の鉛直上方にあって蓋材１４の上面に設けられている上方連結部材１８と、を有し、キャップ１７の上底の断面が、上方連結部材１８の断面よりも大きいこととする。【選択図】      図１
2020007003.tif 000002
【特許請求の範囲】
【請求項１】
被結束物を下方から支える基材と、前記基材の両端から直立し被結束物を側方から押える二本の側辺材と、前記側辺材のそれぞれの先端部の間を架設し被結束物を上方から押圧する蓋材と、を有するフレームと、
複数台の前記フレームを使って被結束物を結束するとき、フレーム同士を繋ぐフレーム連結材と、
前記フレームの地面側に設けられ地面側が大きく開口している略四角錐台形状のキャップと、前記キャップの鉛直上方にあって前記蓋材の上面に設けられている上方連結部材と、を有し、
前記キャップの上底の断面が、前記上方連結部材の断面よりも大きいことを特徴とする段積み型結束器。
【請求項２】
鉛直方向に見て、前記キャップ及び前記上方連結部材のそれぞれの少なくとも一部分が、前記側辺材の一部分に重なっていることを特徴とする請求項１に記載の段積み型結束器。
【請求項３】
前記フレーム連結材が着脱自在であって、所望の長さの前記フレーム連結材を用いることで前記フレームの間隔を所望の距離に変更できることを特徴とする請求項１又は請求項２に記載の段積み型結束器。
【発明の詳細な説明】
【技術分野】
【０００１】
本発明は、被結束物を多数まとめた結束物を段積みすることができる段積み型結束器に関する。
【背景技術】
【０００２】
建築現場では、建築物の周囲に足場を組んで作業が行われることが多い。このような足場は、多数のパイプをジョイントで繋いで構築される。よって、足場作成のため、多数のパイプを運搬したり、また、保管したりする必要がある。そこで、５０本から１００本程度のパイプを一つに束ねて、運搬や保管を容易にする結束器が用いられている（例えば、特許文献１参照）。
【０００３】
図６は、従来の結束器によってパイプを結束した様子を二方向から表した図である。結束器１００は地面上に載置され、被結束物２０を下方から支える基材１１１と、その基材１１１の両端から直立し被結束物２０を側方から押える二本の側辺材１１２、１１３と、その側辺材１１２、１１３のそれぞれの先端間を架設する蓋材１１４と、を有している。蓋材１１４は、一方の側辺材１１３に備えられた回動軸に回動可能に係合しており、結束器１００の上辺を閉じたり開いたりできる構造になっている。また、蓋材１１４としては、山形鋼を用いるとよい。山形鋼は９０゜に折れ曲がった略Ｌ字型の断面をした部材であり、蓋材１１４として用いるときは、その一辺は被結束物２０を押圧する面として用い、もう一辺は上方に直立させることで蓋材１１４の撓みを抑えることができる。つまり、蓋材１１４に山形鋼を用いることで、結束した被結束物２０をワイヤ等で吊り上げたり、フォークリフトで持ち上げたりするときに、蓋材１１４が撓むのを抑制することができる。
【０００４】
そして、長尺の被結束物２０を束ねる際には、２台の結束器１００を地面上に置き、それらの結束器１００を架橋するように被結束物２０を並べて収納する。このとき、規則正しく並べることで、結束器１００の内側に所定の本数の被結束物２０を収納することができ、蓋材１１４を閉じたときに、結束器１００と被結束物２０との間の隙間を極力小さくすることができる。
【０００５】
ここで、被結束物２０がパイプのように断面の強度が高い資材の場合は、結束器１００で結束した結束物を上方向に段積みすることで場所を有効利用することができる。図７は、従来の結束器によって結束したパイプを段積みした様子を示す図である。このとき、上段の結束物を安定させるために、下段の被結束物２０の上に直接上段の結束器１００を置いて段積みすることになる。つまり、上下に位置する結束器１００同士が接触しないように、結束器１００の位置を予めずらしておく必要がある。特に、蓋材１１４が山形鋼の場合、上下に配置される結束器１００の位置をずらさなければ、上段の結束物が大きく傾いてしまうことになる。なお、被結束物２０を収納した後で、結束器１００の位置をずらすことは困難であるため、段積みしたい場合には、予め被結束物２０に対する結束器１００の位置に十分注意を払っておかなければならない。
【０００６】
また、被結束物２０はパイプに限らず、断面強度の低い被結束物の場合もある。その場合は、下段の被結束物２０の上に上段の結束器１００を載せると、下段の被結束物２０が撓んだり、破損したりすることがあり、段積みできないこともある。
【先行技術文献】
【特許文献】
【０００７】
【特許文献１】特許第２９８９８０８号
【発明の概要】
【発明が解決しようとする課題】
【０００８】
上記のような事情に鑑み、本発明は、結束器で結束する被結束物の断面強度が低い場合でも、結束物を上方に段積みして場所を有効利用することができる段積み型結束器を提供することを目的としている。
【課題を解決するための手段】
【０００９】
上記の目的を達成するために、本発明の段積み型結束器は、被結束物を下方から支える基材と、その基材の両端から直立し被結束物を側方から押える二本の側辺材と、その側辺材のそれぞれの先端部の間を架設し被結束物を上方から押圧する蓋材と、を有するフレームと、複数台のフレームを使って被結束物を結束するとき、フレーム同士を繋ぐフレーム連結材と、フレームの地面側に設けられ地面側が大きく開口している略四角錐台形状のキャップと、キャップの鉛直上方にあって蓋材の上面に設けられている上方連結部材と、を有し、キャップの上底の断面が、上方連結部材の断面よりも大きいことを特徴とするものである。
【００１０】
ここで、鉛直方向に見て、キャップ及び上方連結部材のそれぞれの少なくとも一部分が、側辺材の一部分に重なっていることにするとよい。
【００１１】
また、フレーム連結材が着脱自在であって、所望の長さのフレーム連結材を用いることでフレームの間隔を所望の距離に変更できることにするとよい。
【発明の効果】
【００１２】
本発明の段積み型結束器によれば、段積みする上段のキャップと下段の上方連結部材が嵌合することで、上段の結束物の重量が、下段の段積み型結束器のみに作用するので、段積みしても被結束物の破損等を防ぐことができるという効果を奏する。
【００１３】
また、所望の長さのフレーム連結材を用いることで、様々な長さの被結束物を結束することができ、更に、上下の段積み型結束器のフレーム間隔を同一にすることができるので、段積み作業を容易に行うことができる。
【図面の簡単な説明】
【００１４】
【図１】段積み型結束器の正面図である。
【図２】段積み型結束器の側面図である。
【図３】既製品のパレット脚の寸法図である。
【図４】段積み型結束器を用いて結束物を段積みする状況を説明する図である。
【図５】段積み型結束器を用いて段積みした様子を示す側面図である。
【図６】従来の結束器によってパイプを結束した様子を二方向から表した図である。
【図７】従来の結束器によって結束したパイプを段積みした様子を示す図である。
【発明を実施するための形態】
【００１５】
以下、本発明の実施の形態を添付図面を参照して説明する。
【００１６】
図１は、本発明の段積み型結束器の正面図である。また、図２は、段積み型結束器の側面図である。
【００１７】
本発明の段積み型結束器１の基本の構成は、被結束物を上下左右の四方向から囲んで結束するフレーム１０と、フレーム１０の下側に設けられた２つのキャップ１７と、蓋材１４の上側に設けられた２つの上方連結部材１８と、フレーム１０同士を繋ぐフレーム連結材１５と、からなる。そして、結束物を段積みする場合は、下段の上方連結部材１８と上段のキャップ１７とを嵌合するものである。
【００１８】
フレーム１０は、被結束物を下方から支える基材１１と、その基材１１の両端から直立し被結束物を側方から押える二本の側辺材１２，１３と、その側辺材１２，１３のそれぞれの先端の間を架設し被結束物を上方から押圧する蓋材１４と、を有している。フレーム１０を構成する基材１１、側辺材１２，１３及び蓋材１４としては、山形鋼や溝形鋼等を用いることができ、ここでは山形鋼を用いた例を用いて説明する。
【００１９】
フレーム１０の地面側には、略四角錐台形状のキャップ１７が設けられている。つまり、フレーム１０を地面上に載置する場合は、キャップ１７はフレーム１０の脚の役目を果たし、上段に段積みするときは、上方連結部材１８と嵌合する部材となる。
【００２０】
このキャップ１７は、四角錐体の下底が大きく開口している形状であり、この四角錐体の下底を地面側に向けて、フレーム１０の下面に取り付けられている。なお、ここでは、四角錐体の底面のうち、面積が小さい側を上底とし、面積が大きい側を下底とする。キャップ１７としては、鋼板を加工して製造してもよいし、既製品のパレット脚を使用してもよい。キャップ１７の形状を略四角錐体形状としたのは、既製品のパレット脚を使用した場合は、四角錐体の斜面が僅かに膨らんだ曲面となっているためである。図３は、既製品のパレット脚の寸法図である。このようなパレット脚をキャップ１７として用いた場合、上底が５０ｍｍ角であり、下底は１１０ｍｍ角であるから、このキャップ１７に嵌合する上方連結部材１８としては、断面が５０ｍｍ角よりも小さい部材（例えば、４５ｍｍ角の角型鋼管や、外径がφ４５ｍｍの鋼管など）を用いることで、上方連結部材１８がキャップ１７の上底に当接するまでしっかりと嵌め込むことができる。
【００２１】
蓋材１４は、一方の側辺材１３に備えられた回動軸に回動可能に係合しており、フレーム１０の上辺を閉じたり開いたりできる構造になっている。そして、被結束物を出し入れするときは蓋材１４を開け、被結束物を収納するときは蓋材１４を閉じ、蓋材１４と側辺材１２をロックすることができる構造になっている。なお、ロックの構造は、結束した被結束物を吊り上げたときに、蓋材１４が外れない程度に強固な構造であればよく、特定の構造に限定しない。
【００２２】
また、この蓋材１４の上面の２カ所に上方連結部材１８が設けられている。上方連結部材１８としては、角型鋼管や丸型鋼管等を用いることができる。ただし、上方連結部材１８の先端面がキャップ１７の上底に当接する場合は、上段の荷重に耐えられるだけの断面が必要である。また、蓋材１４が山形鋼の場合は、上方連結部材１８を溶接等で取り付ける部分は、山形鋼の一部を切り欠いたりして加工する必要がある。また、山形鋼の直立部分と上方連結部材１８とを溶接することで、上方連結部材１８と蓋材１４との結合を強固にすることができる。
【００２３】
上方連結部材１８は、フレームを段積みするときに、上段のフレーム１０のキャップ１７と嵌合する部材なので、位置関係としては、キャップ１７の鉛直上方に設けられていなければならないことになる。また、上述した通り、上方連結部合材１８の断面は、キャップ１７の上底の断面より小さくなければならない。つまり、上方連結材１８の断面全体が、キャップ１７の上底にすっぽり収まる必要がある。また、段積みしたときに上段の荷重を安全に下段に伝えるためには、鉛直方向にみて、キャップ１７及び上方連結部材１８のそれぞれの少なくとも一部分が、側辺材１２，１３の一部分に重なっている位置関係にあるとよい。つまり、具体的には、キャップ１７の一部分が、側辺材１２，１３に溶接されていることにするとよい。
【００２４】
被結束物は基本的には長尺の資材等なので、複数台のフレーム１０を使って、結束が行われる。このとき、フレーム１０を安定させるために、フレーム１０同士をフレーム連結材１５を用いて連結するとよい。フレーム連結材１５の取り付けは、側辺材１２，１３にあけられたフレーム連結孔１６を使ってボルト留めするとよい。ボルト留めにすることで、フレーム連結材１５が着脱自在となり、被結束物の長さに応じた長さのフレーム連結材１５を用いることが可能になるためである。そして、フレーム連結孔１６は、側辺材１２，１３に複数箇所あけておくことで、フレーム連結材１５を取り付ける高さや本数を変えることができる。つまり、低い位置にフレーム連結材１５を取り付ければ、被結束物の出し入れが容易になるし、フレーム１０を強固に連結したい場合は、複数本のフレーム連結材１５を取り付けてもよい。また、フレーム連結材１５を用いることで、フレーム間隔を一定にすることができるので、段積みするときに、下段の上方連結部材１８と上段のキャップ１７との位置合わせが容易になる。
【００２５】
図４は、段積み型結束器を用いて結束物を段積みする状況を説明する図である。ここで、図４（ａ）は段積み直前の正面図、図４（ｂ）は段積み後の正面図である。また、図５は、段積み型結束器を用いて段積みした様子を示す側面図である。従来の段積み方法では、被結束物（例えば、パイプ）の上に上段の結束器を載せていたが、本発明の段積み型結束器を用いて段積みする場合は、上下に位置する段積み型結束器１ａ、１ｂ同士を結合する構成となっている。なお、図では２段に段積みした例を示しているが、３段以上に段積みすることも可能である。
【００２６】
２組の段積み型結束器１ａ、１ｂでそれぞれ被結束物２０を結束し、段積み型結束器１ｂの上に段積み型結束器１ａを載せる。このとき、下段の段積み型結束器１ｂの上方連結部材１８の上から、上段の段積み型結束器１ａのキャップ１７を被せることで、上方連結部材１８とキャップ１７が嵌合し、段積みが完成する。
【００２７】
このように段積みすることで、被結束物２０を含む上段の結束物全体の重量が下段のフレーム１０にのみ作用することになり、フレーム１０の強度が十分であれば、仮に下段の被結束物２０の強度が低い場合でも、被結束物２０の破損等を生じないことになる。なお、このとき、キャップ１７と上方連結部材１８とフレーム１０の側辺材が一直線に並べば、上段の荷重を効果的に下段のフレーム１０に伝えることができる。
【００２８】
以上のような段積み型結束器であれば、段積みしたときに上段の荷重が下段の段積み型結束器１ｂのフレーム１０にのみ作用するので、被結束物２０を破損させることがないという効果を奏する。つまり、本発明の段積み型結束器を用いる場合は、被結束物としては、パイプ（鋼管、塩ビ管等）に限らず、様々な資材等を結束して段積みすることができ、特に個々の断面強度が低い資材等であってもよい。そして、このように上方に複数段の結束器を積み重ねることで、場所を有効利用することができる。
【００２９】
また、段積みするそれぞれのフレーム連結材１５を同じ長さにすることで、結束器の安定性を保つと共に、段積みを確実かつ容易に行うことができる。
【符号の説明】
【００３０】
１ 段積み型結束器
１ａ 段積み型結束器（上段）
１ｂ 段積み型結束器（下段）
５ 結束物
１０ フレーム
１１ 基材
１２、１３ 側辺材
１４ 蓋材
１５ フレーム連結材
１６ フレーム連結孔
１７ キャップ
１８ 上方連結部材
２０ 被結束物
【図１】
2020007003.tif 000003
【図２】
2020007003.tif 000004
【図３】
2020007003.tif 000005
【図４】
2020007003.tif 000006
【図５】
2020007003.tif 000007
【図６】
2020007003.tif 000008
【図７】
2020007003.tif 000009